(57)【特許請求の範囲】
【請求項１】
シガレットのヒンジ蓋付きパックであって、
前記ヒンジ蓋付きパックは、
ボックス部(１０)と、ボックスの後部壁(１２)にヒンジされた蓋(１１)と、 カラーの前部壁(２９)とカラーの両側部壁(３０，３１)を有する別のブランクからなるカラー(２８)を備え、
蓋の下方の閉鎖エッジ部(３４)が、蓋の前部壁(１９)と蓋の内側に位置を占めている蓋の内側タブ（２７）の間に折り曲げエッジとして形成され、前記蓋（１１）が閉じられたとき、ボックスの前部壁(１５)の向き合う閉鎖エッジ部(３５)からある距離をおいて対向して位置しており、
開けるときにパックの取り扱いをより容易にするために、前記カラーの前部壁(２９)の領域を露出した状態で開口部を形成しており、
下記ａ）〜ｄ）を特徴とするヒンジ蓋付きパック。
ａ）前記蓋の閉鎖エッジ部(３４)は、直立したパックエッジ部(３６)に関して、横断するように方向づけされた連続した直線状の行程を有する。
ｂ）前記対向する閉鎖エッジ部(３５)は、波状であるか、波状及び／または斜めに走る直線状のエッジリム(３７，３８；４６，４７，４８；７０，７１，７２)からなり、
前記蓋の閉鎖エッジ部(３４)と前記ボックスの前部壁(１５)の前記対向する閉鎖エッジ部(３５)とは開口部を形成しており、前記開口部の幅に亘って一様でない、即ち、２つのエッジ部（３４，３５）間の距離が変化している。
ｃ）前記対向する閉鎖エッジ部(３５)は、単層の前記ボックスの前部壁(１５)の上方のエッジによって形成されている。
ｄ）前記カラーの前部壁(２９)は、前記ボックスの前部壁(１５)の内側によって画定された連続する平面内で前記開口部の領域に延出している。
【請求項２】
前記下方の対向する閉鎖エッジ部(３５)は、波状、ジグザグ状またはＶ字状をなし、少なくとも２つの直線状のエッジリム(３７，３８)は、互いに鈍角をなして配置されることを特徴とする請求項１記載のヒンジ蓋付きパック。
【請求項３】
下記ａ），ｂ）を特徴とする請求項１または請求項２記載のヒンジ蓋付きパック。
ａ）前記ボックスの前部壁(１５)の前記対向する閉鎖エッジ部(３５)は、前記蓋（１１）に向かう突起を備え、前記突起は、屋根状、台形状、波状または湾曲した凸部(５４)である。
ｂ）前記蓋(１１)が閉じた位置にあるとき、横断方向に向く直線状の蓋の閉鎖エッジ部(３４)が、前記凸部(５４)上に位置する。
【請求項４】
下記ａ）、ｂ）を特徴とする請求項１ないし請求項３のいずれか１項記載のヒンジ蓋付きパック。
ａ）前記蓋(１１)が閉じた位置にあるとき、前記蓋の閉鎖エッジ部(３４)及び前記対向する閉鎖エッジ部(３５)は、前記ボックスの前部壁(１５)と前記蓋の前部壁(１９)の幅の約半分の幅に対応する中心から外れた一方のサブ領域内に配置されている。
ｂ）他方のサブ領域においては、前記蓋の閉鎖エッジ部(３４)及び前記対向する閉鎖エッジ部(３５)は、開口を形成するように互いにある距離をもって配置されている。
【請求項５】
前記対向する閉鎖エッジ部(３５)は、互いに垂直方向にオフセットし、遷移エッジ部(７１)によって互いに接続される２つの平行な部分エッジ部(７０、７２)を備え、前記蓋(１１)が閉じた位置にあるとき、高い方の部分エッジ部(７２)は、前記蓋の閉鎖エッジ部(３４)と接し、他方において、横方向領域において、前記蓋の閉鎖エッジ部(３４)と前記部分エッジ部(７０)との間に開口またはギャップ（１４）が形成されることを特徴とする請求項４記載のヒンジ蓋付きパック。
【請求項６】
前記対向する閉鎖エッジ部(３５)は、共に下方に向かって湾曲し、下方に向かって中心のポイント(６９)に向かって延出する２つのエッジ部セクション(６７，６８)を備える請求項１ないし請求項５のいずれか１項記載のヒンジ蓋付きパック。
【請求項７】
下記ａ）〜ｃ）を特徴とする請求項１ないし請求項６のいずれか１項記載のヒンジ蓋付きパック。
ａ）中央の領域においては、前記対向する閉鎖エッジ部(３５)は、湾曲したまたは部分的に円形のセクション(４５)によって凹部(４４)を形成する。
ｂ）前記凹部(４４)の外側の領域においては、前記対向する閉鎖エッジ部(３５)は、パックエッジ部(３６)を直角に横断する方向に直線的に延出する。
ｃ）対応して形成された直線的な前記蓋の閉鎖エッジ部(３４)は、前記凹部(４４)の外側で前記対向する閉鎖エッジ部(３５)と接触する。
【請求項８】
切り欠き（３２）を形成することに関して、特に、カラーのエッジ部（３３）の少なくとも１つのサブ領域が、前記切り欠き(３２)を区画するために前記対向する閉鎖エッジ部(３５)のサブ領域に平行に延出するように、前記カラー（２８）は前記対向する閉鎖エッジ部(３５)の輪郭にマッチすることを特徴とする請求項１ないし請求項７のいずれか１項記載のヒンジ蓋付きパック。
【請求項９】
下記ａ）〜ｄ）を特徴とする請求項１ないし請求項８のいずれか１項記載のヒンジ蓋付きパックの製造のためのブランク。
ａ）ボックスの前部壁(１５)、底部壁（１８）、ボックスの後部壁(１２)、蓋の後部壁(１３)、前部壁（２２）、蓋の前部壁（１９）、及び蓋の内側タブ（２７）が、ボックス部（１０）及び蓋部（１１）を形成するためにお互いに繋がった領域である。
ｂ）複数の内側タブ（２３）が前記ボックスの後部壁(１２)の両側に結合されており、複数の外側タブ（２４）が前記ボックスの前部壁(１５) の両側に結合されている。
ｃ）少なくとも１つのサブ領域において、前記ボックスの前部壁(１５) の自由端が波状、ジグザグ状またはＶ字状になるように設計されており、少なくとも２つのエッジ部分が互いに鈍角をなして配置されている。
ｄ）前記蓋の前部壁（１９）と前記蓋の内側タブ（２７）の間に、連続した直線状の折り曲げエッジが延出している。
【請求項１０】
丸みを持ったパックエッジを有するヒンジ蓋付きボックスの製造のために、前記対向する閉鎖エッジ部(３５)は、エッジ部分（５８，５９）から丸い部分（５７）の領域内へ曲線状の行程で導かれ、前記丸い部分の全幅に亘って延出していること、及び前記エッジ部分（５８，５９）はオフセットしないで傾斜したエッジ（４２）に吸収されることを特徴とする請求項９記載のブランク。
【請求項１１】
シガレットのヒンジ蓋付きパックであって、
前記ヒンジ蓋付きパックは、
ボックス部(１０)と、ボックスの後部壁(１２)にヒンジされた蓋(１１)とを有し、さらにカラーの前部壁(２９)とカラーの両側部壁(３０，３１)を備えるカラー(２８)を有し、蓋の前部壁(１９)は蓋の下方の閉鎖エッジ部(３４)によって境界をつけられ、ボックスの前部壁(１５)は対向する上方の閉鎖エッジ部(３５)によって境界をつけられており、
下記ａ）〜ｃ）を特徴とするヒンジ蓋付きパック。
ａ）前記蓋の閉鎖エッジ部(３４)と前記対向する閉鎖エッジ部(３５)は、互いにある距離をおいて延出しており、蓋の前部壁(１９)とボックスの前部壁(１５)の少なくともサブ領域においては、開放的な観察領域（６３）または開放的なギャップ（４０）が形成され、前記蓋（１１）が閉じられたとき、前記サブ領域においては前記カラーの前部壁(２９)が見える。
ｂ）前記蓋の閉鎖エッジ部(３４)と前記対向する閉鎖エッジ部(３５)は、曲線状の形状で延出しており、前記観察領域（６３）及び前記ギャップ（４０）は曲線状に境界をつけられた一様でない輪郭を有している。
ｃ）一方においては前記蓋の閉鎖エッジ部(３４)は、他方においては前記対向する閉鎖エッジ部(３５)は、異なる曲線状のエッジ部分（５８，５９；６７，６８）の曲線または凸部（６１，６２）を備えている。
【請求項１２】
前記蓋の閉鎖エッジ部(３４)は、前記蓋の前部壁(１９)の全幅に亘って延出している曲線を形成しており、下方にカーブしていることを特徴とする請求項１１記載のヒンジ蓋付きパック。
【請求項１３】
前記ボックスの前部壁(１５)によって形成されている前記対向する閉鎖エッジ部(３５)は、2つの曲線状のエッジ部分（６７，６８）を備えており、共に略中央部の点（６９）に下方に向かって延出していることを特徴とする請求項１１または請求項１２記載のヒンジ蓋付きパック。
【請求項１４】
下記ａ）、ｂ）を特徴とする請求項１３記載のヒンジ蓋付きパック。
ａ）直立したパックエッジ（３６）が丸みのあるエッジとして形成されている。
ｂ）前記2つの曲線状のエッジ部分（６７，６８）は、前面のパックエッジ（３６）の領域において、丸みをつけられた輪郭、即ち、パックエッジ（３６）の領域内に延出している丸みをつけられた部分（５７）に没入する。
【請求項１５】
下記ａ）〜ｃ）を特徴とする請求項１１記載のヒンジ蓋付きパック。
ａ）前記蓋の閉鎖エッジ部(３４)は、前記蓋の閉鎖エッジ部(３４)が、前記蓋の前部壁(１９)の幅に亘って延出しており、Ｓ形状を描いている線を形成するように、反対方向に方向付けられた2つの曲線の凸部（６１，６２）を備えている。
ｂ）前記対向する閉鎖エッジ部(３５)は、前記と同様に描かれている2つの凸部、即ち、曲線のエッジ部分（５８，５９）を備えており、これらのエッジ部分は、前記ボックスの前部壁(１５)の略中央部に点（６０）を形成するために共に上方に向かって延出している。
ｃ）前記対向する閉鎖エッジ部(３５)の一方のエッジ部分（５８）は、前記蓋の閉鎖エッジ部(３４)の凸部（６１）と同様な方法で曲線状に形成され、前記蓋（１１）が閉じられたとき、凸部（６１）とエッジ部分（５８）の領域において、前記蓋の閉鎖エッジ部(３４)と前記対向する閉鎖エッジ部(３５)とが互いに接触する。
【請求項１６】
前記蓋の前部壁(１９)の内側に固定された蓋の内側タブ（２７）は、前記蓋の閉鎖エッジ部(３４)の前記凸部（６１）から前記凸部（６２）までの変遷の領域において、前記蓋の前部壁(１９)に中央の折り曲げエッジ（６６）に沿って結合されていることを特徴とする請求項１５記載のヒンジ蓋付きパック。
【請求項１７】
シガレットのヒンジ蓋付きパックであって、
前記ヒンジ蓋付きパックは、
ボックス部(１０)と、ボックスの後部壁(１２)にヒンジされた蓋(１１)とを有し、さらにカラーの前部壁(２９)とカラーの両側部壁(３０，３１)を備えるカラー(２８)を有し、蓋の前部壁(１９)は蓋の下方の閉鎖エッジ部(３４)によって境界をつけられ、ボックスの前部壁(１５)は対向する上方の閉鎖エッジ部(３５)によって境界付けられており、
下記ａ）〜ｃ）を特徴とするヒンジ蓋付きパック。
ａ）前記蓋の閉鎖エッジ部(３４)と前記対向する閉鎖エッジ部(３５)は、互いに平行に、互いにある距離をおいて延出している。
ｂ）前記蓋の閉鎖エッジ部(３４)と前記対向する閉鎖エッジ部(３５)の両者は、ジグザグ状または波状の行程を有しており、前記蓋の前部壁(１９)と前記ボックスの前部壁(１５)との間に開放的なギャップ（４０）が生成され、略一様な等しい幅で対応するジグザグ形状または波形状で延出する。
ｃ）前記蓋の閉鎖エッジ部(３４)と前記対向する閉鎖エッジ部(３５)の両者は、傾斜して方向付けられた2つの側部リム（４６，４７）と同様に傾斜して方向付けられた中央部（４８）とを備え、前記側部リム（４６）は直立した縦方向のパックエッジ（３６）から出発し、下方に傾斜して方向付けられており、前記中央部（４８）は前記側部リム（４６）に隣接し、上方に傾斜して方向付けられており、前記側部リム（４７）は前記縦方向のパックエッジの方向へ傾斜して下るように形成されている。
【請求項１８】
カラーの前部壁(２９)の領域においては、前記カラー（２８）は、互いに鋭角で延出している２つのエッジ領域（５０，５１）によってのみ境界付けられている切り欠き（３２）を有し、前記エッジ領域（５１）は、前記対向する閉鎖エッジ部(３５)の前記中央部（４８）と平行に延出していることを特徴とする請求項１７記載のヒンジ蓋付きパック。
【発明の詳細な説明】
【０００１】
この発明は、ボックス部と、ボックス後部壁にヒンジされた蓋と、ボックス部に固着されたカラーと、カラーの前部壁とカラーの両側部壁とを有し、ボックス部から突出する前記カラーの領域が、閉じた位置においては、蓋によって閉じられ、蓋の前部壁は、(下方の)蓋の閉鎖エッジ部によって区画され、ボックス部のボックス前部壁は、(上方の)向き合う閉鎖エッジ部によって区画される、シガレット等のヒンジ蓋付きボックスに関する。
【０００２】
従来のヒンジ蓋付きボックスは、これが閉じた位置にある場合には、横断方向を向く蓋の閉鎖エッジ部が、ボックス部の同様な横断方向を向く対向閉鎖エッジ部と接するように設計される。しかしながら、斜めをなす蓋の閉鎖エッジ部と、これに対応する対向閉鎖エッジ部とを備えるヒンジ蓋付きボックスは、すでに開示されており、この場合、蓋の閉鎖エッジ部と、これに平行して配置された向き合う閉鎖エッジ部との間には空隙が存在するので、カラー前部壁のストリップ状領域は、蓋が閉じた位置においても眼で見える。
【０００３】
この発明は、ヒンジ蓋付き型の(シガレット)パックを、主として前部側の形状について開発するとともに、パックの取り扱いを改良するという目的に根ざすものである。
【０００４】
この目的を達成するために、この発明のヒンジ蓋付きボックスは、蓋の閉鎖エッジ部と、これに対向する閉鎖エッジ部とが互いに離間して配置され、それらの離間距離が、パックの幅方向に亘って変化する。
【０００５】
この発明のヒンジ蓋付きボックスは、したがって、好ましくは横断方向に延出する蓋の閉鎖エッジ部とこれと向き合うエッジ部が形状を異にするように設計される。このことによって、パックの前部側の領域に異なった形状が生じ、カラー前部壁の幾何学的に異なる形状がパックが閉じた位置において眼に見える。少なくとも、カラー前部壁のこの領域は、装飾的にまたはグラフィックに造形されるか、或いは、ユーザー用の情報を保有することもできる。
【０００６】
蓋の閉鎖エッジ部とこれに向き合う閉鎖エッジ部との間の距離は、パックを開くとき、特定すれば、蓋を持ち上げるときに容易な取り扱いが可能にする。この発明によれば、２つの閉鎖エッジ部の間に形成される間隙は、ヒンジ蓋付きボックスの幅全体に亘って延出させる必要はなく、中央領域またはオフセットされた領域に形成することができる。間隙の外側においては、蓋の閉鎖エッジ部とこれに対向する閉鎖エッジ部は、従来通りに、または、特別な合致形状で接する。
【０００７】
この発明のヒンジ蓋付きボックスの外形、特定していえば、蓋の閉鎖エッジ部とこれと向き合う閉鎖エッジ部の外形に関しては、これが別の外形の様相、特定すればエッジ部が丸いパックまたはエッジ部が斜めをなすパックと有利に結合される。すなわち、直立したパックのエッジ部の断面が、少なくとも前部側の領域において、丸いか、ベベル状であるヒンジ蓋付きボックスと結合される。
【０００８】
ヒンジ蓋付きボックスの形状に関する別の細部を添付図面に描かれた模範具体例を用いて以下に説明する。
【０００９】
ヒンジ蓋付きボックスは、(下方の)ボックス部１０と、ボックス部に接続された(上方の)蓋１１を有する。ボックス部１０と蓋１１は、第一にボックス後部壁１２の領域において接続され、第二に横断方向に配向されたヒンジ部１４を介して蓋の後部壁１３の領域において接続される。ボックス部１０は更に、ボックスの前部壁１５とボックスの両側部壁１６、１７を有する。ボックス部１０の下方の閉鎖部は底部壁１８である。
【００１０】
これに似た態様で、蓋１１は蓋の前部壁１９と、蓋の両側部壁２０、２１と頂部壁２２とを有する。
【００１１】
ボックスの両側部壁１６、１７と、これらに対応した態様の蓋の両側部壁２０、２１は、全部または一部が互いに重なる側部タブ２３、２４と、同様な側部タブ２５、２６を有する。互いに関連し合う側部タブは、接着剤によって互いに接続される。更に、ヒンジ蓋付きボックスの殆どの模範具体例においては、蓋の内側タブ２７が設けられる。このタブは、蓋の前部壁１９の自由なエッジ部に接続され、同エッジ部の内側に向かって折り重ねられ、これに固定される。
【００１２】
古典的に構築されたヒンジ蓋付きボックスは、更にカラー２８を含む。これは、別体のブランクからなる(例えば、図９参照)。カラー２８は、カラーの前部壁２９とカラーの両側部壁３０、３１を備える。カラーの前部壁２９の領域には、頂部に一つの切り欠き部３２が開口する。この切り欠き部は、大体においてＵ字状のカラーのエッジ部３３によって区画される。
【００１３】
このヒンジ蓋付きボックスの一つの特徴は、ボックス部１０の閉鎖エッジ部の形状と、蓋１１の形状である。蓋の前部壁１９は、その下方エッジ部で蓋の閉鎖エッジ部３４を形成する。もし、蓋の内側タブ２７が存在するならば(例えば、図１、２)、この蓋の閉鎖エッジ部３４は、蓋の内側タブ２７と蓋の前部壁１９の折り曲げエッジ部によって形成される。
【００１４】
蓋１１が閉じられるとき、従来のヒンジ蓋付きボックスにおいては、蓋の閉鎖エッジ部３４は、ボックス前部壁１５の上方エッジ部によって形成される対向閉鎖エッジ部３５と接する。このヒンジ蓋付きボックスは、蓋の閉鎖エッジ部３４が、向き合う閉鎖エッジ部３５と或る領域においてだけ接するか、または、向き合う閉鎖エッジ部３５からの距離が変化する幅全体に亘って接するように構築される。
【００１５】
図１〜図３の模範具体例においては、蓋の閉鎖エッジ部３４は、水平方向、または、直立するパックのエッジ部３６に対して直角をなす横断方向に配向される。
【００１６】
ボックス部１０の向き合う閉鎖エッジ部３５は、異なる輪郭、つまり、Ｖ字状設計の、特定すれば、互いに対し鈍角をなして延出する２つのエッジリム(limb)３７、３８を有する。今の場合、これらは一緒に中央上位部位すなわちポイント３９に延出する。対向する閉鎖エッジ部３５は、間隙４０が、パックの前部側の幅全体に亘って形成されるように、蓋の閉鎖エッジ部３４から全体にはっきりした距離を隔てて設けられる。パックが閉じられたとき(図１)、この領域において、カラー前部壁２９の一つのサブ領域が、特定すれば、閉鎖エッジ部の形状によって決定される幾何学的な形状をなして眼に見える。カラーの前部壁は、少なくともこの領域において、装飾的であるか、または情報の印刷内容を備える。
【００１７】
閉鎖エッジ部はまた、パックの両側部壁の領域に、特定すれば、パックの後部側に向かって斜めに立ち上がる形状をなして形成される。この場合、これらは、蓋の両側部壁２０、２１の下方境界としての斜めのエッジ部４１と、ボックス部の両側壁１６、１７の上方境界として、これらに対応して設けられる斜めのエッジ部４２である。蓋１１が閉じたとき、これらの斜めのエッジ部４１、４２は互いに接する。
【００１８】
このように設計されたパック用のブランク(図３)は、このパックにふさわしく造形される。ボックスの前部壁１５は、角度のついた向き合う閉鎖エッジ部３５によってブランクの自由な端部に区画される。パックのエッジ部３６の領域においては、閉鎖エッジ部３５は、パックの直立エッジ部３６の方向に延出する長手方向エッジ部４３に遷移する。これは、外側の側部タブ２４のそれぞれの斜めのエッジ部４２へと続く。
【００１９】
カラーすなわちカラーの前部壁２９は、対向する閉鎖エッジ部３５の形状、特定して言えば、同様な角度の付いた形状とマッチするので、カラーのエッジ部３３の領域は、対向する閉鎖エッジ部３５とほぼ平行に延出する。
【００２０】
基本的構造において、図４、図５のヒンジ蓋付きボックスは、同様に従来のヒンジ蓋付きボックスに対応する。現行模範具体例におけるように、蓋の閉鎖エッジ部３４は直線状であり、直線状のパックエッジ部３６に対し、これを横断して延出する。
【００２１】
向き合う閉鎖エッジ部３５は、ボックス前部壁１５の上方境界として特別な態様で設計される。ボックス前部壁１５の中央領域に、一つの凹部４４が形成される。この凹部は、対向する閉鎖エッジ部３５の円形または部分円のセクション４５によって区画される。ヒンジ蓋付きボックスが閉じられるとき(図４参照)、カラーの前部壁２９のほぼ円形をなす視界が前部に見える。この視界は、一方の側において、対向する閉鎖エッジ部３５のセクション４５によって、他方の側において、横断方向の蓋の閉鎖エッジ部３４によって区画される。
【００２２】
この模範具体例においては、カラー２８は従来通りの態様で形成される。これに加えて、このパック用のブランクは、このタイプのパック用のブランクに原理的に対応しており、ボックス前部壁１５の領域に、適当な打ち抜きによって凹部４４を形成するだけである。
【００２３】
図６〜図９のヒンジ蓋付きボックスにおいては、従来の形状原理とは区別され、蓋の閉鎖エッジ部３４もまた特別な形状、すなわち、今の場合は、特定して言えば波型或いはジグザグ型の形状を備える。蓋の閉鎖エッジ部３４は、２つの側部リム４６、４７と中央のセクション４８を備える。蓋の閉鎖エッジ部３４の領域の全体は、斜めに、すなわち、パックの直立エッジ部３６に対してある角度をなして延出する。一方のリム‐パックのエッジ部３６から出発する‐は、斜め下方に向かう。これに隣り合う中央セクション４８は、斜め上方に向かい、他方の側部リム４８は、パックのエッジ部３６の方向に下降するように設計される。エッジ部とエッジ部の間の遷移領域として丸いカーブ４９が設けられる。
【００２４】
ボックス前部壁１５の対向閉鎖エッジ部３５は類似の態様で形成されるので、蓋の閉鎖エッジ部３４と終始平行に延出するが両者の間にははっきりとした間隔がある。したがって、向かい合う閉鎖エッジ部３５もまた側部リム４６、４７と中央セクション４８を備えている。このようにして、カラーの前部壁２９のエリアの可視領域を備える間隙４０のジグザグ状または波状の形態が作り出される。このパック用のブランク(図８参照)は、これに見合うように設計される。これまでの模範具体例とは異なって、蓋の内側タブは存在しない。その代わり、蓋の前部壁１９が直接に、且つ、一層で蓋の閉鎖エッジ部３４を形成し、前記の蓋の閉鎖エッジ部３４はすでに説明した態様で形成される。側部リム４６、４７は、蓋の両側部壁２０、２１の斜めをなすエッジ部４１に遷移する。
【００２５】
ブランクの反対側端部は、特定すれば、向き合うエッジ部３５を備えるように、ボックス前部壁１５のエリア内に対応して設計される。これは、長手方向エッジ部４３と隣り合い斜めのエッジ部４２へと移り変わる。
【００２６】
カラー２８(図９参照)もまた、特別な態様で形成される。カラーの前部壁２９は、特定して言えば、側部に対してオフセットして非対称的に設けられ、互いに向かって鋭角をなして延出する２つのエッジ領域５０、５１によって区画される切り欠き部３２を有する。この場合は、カラー２８は、カラーエッジ部３３のエッジ領域５１が、対向する閉鎖エッジ部３５の中央セクション４８に平行に延出するように、設けられ造形される。
【００２７】
図１０および図１１のヒンジ蓋付きボックスにおいては、ボックス前部壁１５の対向閉鎖エッジ部３５が、横方向の凹部５２、５３と中央に設けられた湾曲凸部５４とで波状になるように設計される。横断方向に向けられた直線状の蓋の閉鎖エッジ部３４は、閉じた位置(図１０参照)において向き合う閉鎖エッジ部３５の凸部５４と接する。これは、２つの横方向の視界を作り出し、これらのエリアにおいてカラーの前部壁２９を眼で見ることができる。
【００２８】
上に説明した閉鎖エッジ部の形状は、丸いエッジ部を有するヒンジ蓋付きボックス、すなわち、シガレットの寸法に対応する丸い断面を備えるボックスにも応用される。この場合は、対向する閉鎖エッジ部３５が、丸いエッジ部の領域またはボックス両側部壁１６、１７(図１１)と対面する丸いエッジ部の境目まで延出する。対向する閉鎖エッジ部３５は、ここでは丸み部５７を形成し、直立した長手方向エッジ部４３がこれに続く。
【００２９】
カラー２８は、特定すれば、波状をなして延出するカラーエッジ部３３を備えるように然るべく設計される。その外形は向かい合う閉鎖エッジ部３５、すなわち、中央の波状凸部の形状にマッチする。
【００３０】
図１２〜図１４のヒンジ蓋付きボックスも、丸いエッジ部のパック、すなわち、丸いエッジ部３６を備えるヒンジ蓋付きボックスに関する。対向する閉鎖エッジ部３５は、上を向く中央のポイント６０に向かって一緒に延出する２つの湾曲したエッジセクション５８、５９を形成する。両エッジ部において、エッジセクション５８、５９は、段差を備えることなく、すなわち、湾曲をなして斜めの両エッジ部４２へと移り変わる。
【００３１】
蓋の前部壁１９は、特別な態様で形成される。蓋の閉鎖エッジ部３４は、下に向かう凸部６１と、これとは反対の方向を向く上に延出する凸部６２を備えた略Ｓ字状を呈する。下方に延出する凸部６１は、それが、対向するボックス部の閉鎖エッジ部３５の対応部分と一致するように大きさと形状が決められる。凸部６１は、凸部６１が、対向する閉鎖エッジ部３５のエッジセクション５８に接してフィットするような形態でボックスの前部壁１５の領域に進入する。これと向き合う側においては、ほぼ楕円形の視界６３が中心から離れた部位に創り出される。
【００３２】
蓋１１すなわち蓋の前部壁１９は、蓋の内側タブ蓋の内側タブ２７を備える。この内側タブ２７は、(図１４のブランクの)自由なエッジ部に、横断方向を向く直線状縁エッジ部６４を備える。蓋の前部壁１９に面した側においては、蓋の内側タブ２７は、蓋の閉鎖エッジ部３４と対応した波状の形状を持つように造形される。蓋の内側タブ２７と蓋の前部壁１９の間の接続サブセクションは、湾曲切断部６５として設計される。(図１４に点線で示す)もう一つの領域は、折り曲げエッジ部６６を形成する。折り曲げられた位置(図１３)において、蓋の内側タブ２７は、斜めの位置に、すなわち縁エッジ部６４が斜め方向を向くように配置される。
【００３３】
カラーエッジ部３３に関しては、カラー２８もまた、この模範具体例においては、対向閉鎖エッジ部３５の形状に適合される。
【００３４】
図１５〜図１７もまた、丸いパックのエッジ部を有するヒンジ蓋付きボックスの細部を示す。ボックス前部壁１５の蓋と向き合う閉鎖エッジ部３５は、２つの丸いエッジ部セクション６７、６８を備える形状を呈する。これらは共に、下方を指し示す中心ポイント６９に向かって延出する。エッジ部およびボックスの両側部壁１６、１７の領域において、エッジ部セクション６７、６８は、丸い部分５７を備える斜めのエッジ部５７へと移り変わる。
【００３５】
(蓋の内側タブを持たない)蓋の前部壁１９は、一つの湾曲した蓋の閉鎖エッジ部３４を備える。この閉鎖エッジ部は、対向するボックスの閉鎖エッジ部３５から或る距離を隔てた状態で、パック前部の幅全体に亘って延出する。したがって、視界すなわち間隙４０が、パックの幅全体に亘って延出した状態で作り出される。
【００３６】
図１８〜図２１は、丸いまたはベベル状のパックエッジ部に適切であるが、今の場合は、長方形断面を備える従来型のパックエッジ部３６を備えるヒンジ蓋付きボックスに関する。蓋の閉鎖エッジ部３４とこれに対向する閉鎖エッジ部３５は、互いに接するか、或いは、一つのサブエリアにおいて直接向かい合って接する。パックの幅方向の他方のサブエリアにおいては、閉鎖エッジ部３４、３５が互いに離間して延出するので、間隙４０が創り出され、これがヒンジ蓋付きボックスの前部側の一つのサブエリアだけに亘って延出する。
【００３７】
図示の模範具体例においては、蓋は、特定していえば、(長方形の)蓋の内側タブ２７とパックのエッジ部３６を横断する方向に配向される直線状の蓋の閉鎖エッジ部３４を備えた、全く従来の態様の通りに形成される。更に、対向するエッジ部３５がここでは、直線状の部分エッジ部だけを備え、これが蓋の閉鎖エッジ部３４に平行に延出する。この場合、これは、第一の縁部の(左側の)部分エッジ部７０である。これは、蓋の閉鎖エッジ部３４から或る距離を隔てて延出する。遷移エッジ部７１は、その斜めの行程を経て第二の部分エッジ部７２に達するほぼ中心に位置する部分エッジ部７０と隣接する。第二の部分エッジ部７２は、パック前部側の異なった(右側の)サブエリア内を、特定すれば、部分エッジ部７０に平行に、しかしながら、蓋１１が閉じられたとき、このエリアにおいて、蓋の閉鎖エッジ部３４と対向するエッジ部３５とが接するように、オフセットして延出する。こうして形成される間隙４０は、前部側のサブエリアに亘って、特定すれば、大体中心部まで延出する。
【００３８】
ボックスの側部壁１６のエリアにおいて、部分エッジ部７０は、接続エッジ部７３を介して、側部タブ２４の斜めのエッジ部４２(図２０参照)へと移り変わる。この接続エッジ部７３は、関連するパックのエッジ部３６内を延出する。これとは反対の側において、部分エッジ部７２は、対応する斜めのエッジ部４２へと従来の態様で直接移り変わる。
【００３９】
カラー２８もまた、特別な態様で造形される。すなわち、対向する閉鎖エッジ部３５の形状に適合される。したがって、カラーのエッジ部３３は、２つの互いにオフセットされた部分エッジ部と、対向する閉鎖エッジ部３５の形状にほぼ平行な遷移エッジ部とを備える。シガレットを容易に取り出すために、カラーの前部壁２９の領域にある切り欠き３２は、その凹部７４が一方の側(左側)に形成され、蓋１１が開かれたとき、この凹部がシガレットの大きいエリアに開口するように形状が決められる。
参照符号一覧
１０…ボックス部，１１…蓋，１２…ボックス後部壁，１３…蓋の後部壁，１４…ヒンジ，１５…ボックス前部壁，１６…ボックス側部壁，１７…ボックス側部壁，１８…底部壁，１９…蓋の前部壁，２０…蓋の側部壁，２１…蓋の側部壁，２２…頂部壁，２３…側部タブ，２４…側部タブ，２５…蓋の側部タブ，２６…蓋の側部タブ，２７…蓋の内側タブ，２８…カラー，２９…カラーの前部壁，３０…カラーの側部壁，３１…カラーの側部壁，３２…切り欠き部，３３…カラーのエッジ部，３４…蓋の閉鎖エッジ部，３５…対向閉鎖エッジ部，３６…パックのエッジ部，３７…エッジリム，３８…エッジリム，３９…ポイント，４０…間隙，４１…斜めのエッジ部，４２…斜めのエッジ部，４３…長手方向エッジ部，４４…凹部，４５…セクション，４６…側部リム，４７…側部リム，４８…中央セクション，４９…丸いカーブ，５０…エッジ部領域，５１…凹部，５２…凹部５３…凹部，５４…凸部，５５…視界，５６…視界，５７…丸い部分，５８…エッジ部セクション，５９…エッジ部セクション，６０…ポイント，６１…凹部，６２…凹部，６３…視界，６４…縁部エッジ，６５…切断部，６６…折り曲げエッジ部，６７…エッジ部セクション，６８…エッジ部セクション，６９…ポイント，７０…部分エッジ部，７１…遷移エッジ部，７２…部分エッジ部，７３…接続エッジ部，７４…凹部。
【図面の簡単な説明】
【図１】  蓋が閉じたヒンジ蓋付きボックスの正面図。
【図２】  蓋が開いた図１のヒンジ蓋付きボックスの斜視図。
【図３】  図１、図２のヒンジ蓋付きボックス用の展開し、広げたブランク。
【図４】  図１に示すヒンジ蓋付きボックスの別の模範具体例。
【図５】  蓋が開いた図４のヒンジ蓋付きボックスの斜視図。
【図６】  ヒンジ蓋付きボックスの更に別の模範具体例の正面図。
【図７】  蓋が開いた図６のヒンジ蓋付きボックスの斜視図。
【図８】  図６、図７のヒンジ蓋付きボックス用の展開し、広げたブランク。
【図９】  前記パックのカラー用のブランク。
【図１０】  閉じられたヒンジ蓋付きボックスの第４の模範具体例の正面図。
【図１１】  蓋が開いた図１０のヒンジ蓋付きボックスの斜視図。
【図１２】  蓋が閉じたヒンジ蓋付きボックスの第５の模範具体例の正面図。
【図１３】  蓋が開いた図１２のヒンジ蓋付きボックスの斜視図。
【図１４】  図１２、図１３のヒンジ蓋付きボックスの用の展開し、広げたブランク。
【図１５】  蓋が閉じたヒンジ蓋付きボックスの第６の具体例。
【図１６】  蓋が開いた図１５のヒンジ蓋付きボックスの斜視図。
【図１７】  図１５、図１６のヒンジ蓋付きボックス用の展開し、広げたブランク。
【図１８】  ヒンジ蓋付きボックスの第７の模範具体例の正面図。
【図１９】  蓋が開いた図１８のヒンジ蓋付きボックスの斜視図。
【図２０】  図１８、図１９のヒンジ蓋付きボックス用の展開し、広げたブランク。
【図２１】  図１８、図１９のヒンジ蓋付きボックスのためのカラーの展開し、広げたブランク。
【図１】
0004503850.tif 000002
【図２】
0004503850.tif 000003
【図３】
0004503850.tif 000004
【図４】
0004503850.tif 000005
【図５】
0004503850.tif 000006
【図６】
0004503850.tif 000007
【図７】
0004503850.tif 000008
【図８】
0004503850.tif 000009
【図９】
0004503850.tif 000010
【図１０】
0004503850.tif 000011
【図１１】
0004503850.tif 000012
【図１２】
0004503850.tif 000013
【図１３】
0004503850.tif 000014
【図１４】
0004503850.tif 000015
【図１５】
0004503850.tif 000016
【図１６】
0004503850.tif 000017
【図１７】
0004503850.tif 000018
【図１８】
0004503850.tif 000019
【図１９】
0004503850.tif 000020
【図２０】
0004503850.tif 000021
【図２１】
0004503850.tif 000022